(57)【要約】      （修正有）【課題】トルクレンチの表面の大部分を絶縁層により覆い、絶縁層により覆われていない部分をその他の絶縁物で覆うことにより、電気が人体に伝わるのを防ぐことができる上、トルク値を補正することができるトルクレンチ絶縁構造を提供する。【解決手段】トルクレンチ１０内に、トルクレンチ１０の端部に螺着された調整スイッチ３０で調整するトルク機構が取り付けられている。トルクレンチ１０の一部は、絶縁層２０により覆われ、絶縁層２０により覆われていない部分に絶縁管４０が外嵌されている。絶縁管４０は、一方の端部が絶縁層２０と凹凸嵌合され、他方の端部に調整スイッチ３０が係合されている。絶縁層２０には、絶縁管４０側の端部に凹部２１が設けられている。絶縁管４０の管壁４１には、凹部２１に挿入される凸部４２が突設されている。【選択図】図２
0003165962.tif 000002
【実用新案登録請求の範囲】
【請求項１】
トルクレンチ内に、前記トルクレンチの端部に螺着された調整スイッチで調整するトルク機構が取り付けられ、
前記トルクレンチは、一部が絶縁層により覆われ、前記絶縁層により覆われていない部分に絶縁管が外嵌され、
前記絶縁管は、一方の端部が前記絶縁層と凹凸嵌合され、他方の端部に前記調整スイッチが係合されることを特徴とするトルクレンチ絶縁構造。
【請求項２】
前記絶縁層には、前記絶縁管側の端部に凹部が設けられ、
前記絶縁管の管壁には、前記凹部に挿入される凸部が突設されていることを特徴とする請求項１に記載のトルクレンチ絶縁構造。
【請求項３】
前記絶縁層の前記凹部に隣接する箇所に拡張部が設けられ、
前記絶縁管の前記管壁には、内面が前記凸部と一体成形され、前記絶縁層の外周を覆い、前記拡張部に係合する内嵌部が設けられていることを特徴とする請求項２に記載のトルクレンチ絶縁構造。
【請求項４】
前記拡張部の前記絶縁管に対向する箇所には、前記絶縁管の前記内嵌部を収納する収納溝が設けられていることを特徴とする請求項３に記載のトルクレンチ絶縁構造。
【請求項５】
前記絶縁管には、透明のウィンドウ部が設けられていることを特徴とする請求項１乃至４の何れかに記載のトルクレンチ絶縁構造。
【考案の詳細な説明】
【技術分野】
【０００１】
本考案は、ハンドツールの絶縁技術に関し、特に、トルクレンチ絶縁構造に関する。
【背景技術】
【０００２】
産業分野では、作業の省力性及びスピード性を向上させるために、適切なハンドツールを選択して使用する必要がある。例えば、締め付けたり緩めたりする作業は、レンチを使用すると、少ない労力で大きな効果を得ることができる。
【０００３】
しかし、大部分のレンチは、金属を鋳造して造られているため、電子製品及び電気製品が混在する作業環境では、交流（直流）電流の導体となって電流がリークする虞があり、人体の安全性を確保するため、絶縁レンチが開発された。
【０００４】
初期の絶縁レンチ（例えば、特許文献１）は、レンチの表面が絶縁層により覆われているため、構造が簡素な上、電気が人体に伝わるのを防ぎ、安全かつ簡便に使用することができる。
【先行技術文献】
【特許文献】
【０００５】
【特許文献１】台湾実用新案登録第４０４，３０６号公報
【考案の概要】
【考案が解決しようとする課題】
【０００６】
科学技術の発展により、従来、トルク値を設定する機能を有するレンチが開発されている。このタイプのトルクレンチは、トルク値の補正作業を定期的に行う必要があるが、安全性を高めるために表面が絶縁層により覆われているものは、トルク値を補正することができなかった。そのため、絶縁層により覆われたトルクレンチの構造は、改善が求められていた。
【０００７】
本考案は、多節式を用い、トルクレンチの表面の大部分を絶縁層により覆い、絶縁層により覆われていない部分をその他の絶縁物で覆うことにより、電気が人体に伝わるのを防ぐことができる上、トルク値を補正することができるトルクレンチ絶縁構造を提供することを課題とする。
【課題を解決するための手段】
【０００８】
上記課題を解決するために、本考案の第１の形態によれば、トルクレンチ内に、前記トルクレンチの端部に螺着された調整スイッチで調整するトルク機構が取り付けられ、前記トルクレンチは、一部が絶縁層により覆われ、前記絶縁層により覆われていない部分に絶縁管が外嵌され、前記絶縁管は、一方の端部が前記絶縁層と凹凸嵌合され、他方の端部に前記調整スイッチが係合されることを特徴とするトルクレンチ絶縁構造が提供される。
【０００９】
前記絶縁層には、前記絶縁管側の端部に凹部が設けられ、前記絶縁管の管壁には、前記凹部に挿入される凸部が突設されていることが好ましい。
【００１０】
前記絶縁層の前記凹部に隣接する箇所に拡張部が設けられ、前記絶縁管の前記管壁には、内面が前記凸部と一体成形され、前記絶縁層の外周を覆い、前記拡張部に係合する内嵌部が設けられていることが好ましい。
【００１１】
前記拡張部の前記絶縁管に対向する箇所には、前記絶縁管の前記内嵌部を収納する収納溝が設けられていることが好ましい。
【００１２】
前記絶縁管には、透明のウィンドウ部が設けられていることが好ましい。
【考案の効果】
【００１３】
本考案のトルクレンチ絶縁構造は、多節式を用い、トルクレンチの表面の大部分を絶縁層により覆い、絶縁層により覆われていない部分をその他の絶縁物で覆うことにより、電気が人体に伝わるのを防ぐことができる上、トルク値を補正することができる。
【図面の簡単な説明】
【００１４】
【図１】本考案の一実施形態によるトルクレンチ絶縁構造を示す斜視図である。
【図２】本考案の一実施形態によるトルクレンチ絶縁構造のトルクレンチの各部材の対応関係を示す分解斜視図である。
【図３】本考案の一実施形態によるトルクレンチ絶縁構造の絶縁層と絶縁管との凹凸嵌合関係を示す断面図である。
【考案を実施するための形態】
【００１５】
以下、本考案のトルクレンチ絶縁構造の実施形態について、図面を参照しながら説明する。
【００１６】
本考案の一実施形態によるトルクレンチ絶縁構造は、トルクレンチ内にトルクレンチの端部に固定される調整スイッチにより調整することができるトルク機構が取り付けられ、トルクレンチの一部表面が絶縁層により覆われ、絶縁層に覆われていない部分が絶縁管に覆われている。
【００１７】
絶縁管は、一方の端部が絶縁層と凹凸嵌合され、他方の端部が調整スイッチと係合し、絶縁管と絶縁層とが一体成形されることから、トルクレンチとともに回転せず、握って力が入れ易い。トルク値を補正する場合は、トルクレンチから絶縁管を外し、トルク値を補正してから、再び元の場所に絶縁管を取り付ける。そのため、出力トルク値が得られる上、迅速かつ便利に取り付けることができる。さらに、電流がリークするのを防いで安全性を高めることもできる。
【００１８】
凹凸嵌合構造は、絶縁層の管壁に対向した端部に設けられた凹部に、絶縁管の管壁に設けられた凸部を挿入させることによって構成される。絶縁層の凹部に隣接する箇所には、拡張部が設けられている。絶縁管の管壁には、内面が凸部と一体成形され、絶縁層の外周を覆い、拡張部に係合する内嵌部が設けられている。拡張部の絶縁管に対向した箇所には、絶縁管の内嵌部を収納するために用いる収納溝が設けられている。
【００１９】
絶縁管には、ユーザがトルクレンチの出力トルク値を検視することができるように、透明なウィンドウ部が設けられている。
【００２０】
図１〜図３を参照する。図１〜図３に示すように、本考案の一実施形態によるトルクレンチ絶縁構造は、トルクレンチ１０の一部表面が絶縁層２０により覆われている。絶縁層２０により覆われていない端部には、調整スイッチ３０が取り付けられている。絶縁層２０により覆われていない部分のトルクレンチ１０には、絶縁管４０が外嵌されている。
【００２１】
トルクレンチ１０は、ハウジング１１の上方に絶縁性の方向転換つまみ１２が配置され、下方に多角形の挿入部１３が突設されている。ハウジング１１の外周には、中空の支持部１４が接続されている。支持部１４内には、トルク機構５０が取り付けられている。方向転換つまみ１２の操作により、挿入部１３が一方向のみにしか制動しなくなるとともに、反対方向に空転するようにすることができる。方向転換つまみ１２を押圧すると、挿入部１３とスリーブ（図示せず）との係合作用を解除することができる。
【００２２】
トルク機構５０の入力部材は、支持部１４の端部から露出し、調整スイッチ３０と噛み合うように螺着され、目盛板５２と連動するラチェットピン５１である。調整スイッチ３０を回転させ、ラチェットピン５１を介してトルク機構５０が出力するトルク値を調整すると、目盛板５２が支持部１４の長手方向で移動する。
【００２３】
絶縁層２０は、ハウジング１１の表面を覆い、挿入部１３に向かって僅かに延伸されているが、方向転換つまみ１２の操作を妨げず、支持部１４の一部を覆う。また、絶縁層２０には、絶縁管４０の端部に対向するように２つの凹部２１が設けられている。凹部２１に隣接する箇所には、円錐状をなす拡張部２２が設けられている。拡張部２２の端部には、絶縁管４０に対向する箇所に収納溝２３が設けられている。
【００２４】
絶縁管４０の一方の端部の管壁４１には、２つの凸部４２及び内嵌部４３が設けられている。凸部４２は、内嵌部４３の内面に突出されている。絶縁層２０の対応位置に設けられる凹部２１に凸部４２が挿入されると、内嵌部４３が収納溝２３に深く挿入されて絶縁層２０の上面を覆い、内嵌部４３の外周と拡張部２２とが重なる。絶縁管４０の他方の端部は、調整スイッチ３０に係合する。絶縁管４０と絶縁層２０とが凹凸嵌合して一体成形されていることから、支持部１４とともに回転せず、トルクレンチ１０を握って力を入れるのに便利である。また、絶縁管４０の目盛板５２に対応する箇所には、ユーザが、トルクレンチ１０の出力トルク値を検視するために用いる透明のウィンドウ部４４が設けられている。
【００２５】
このように、トルクレンチ１０の絶縁管４０を握るだけで、電気が人体に伝わるのを防ぎつつ、調整スイッチ３０を回転させてトルク値の大きさを変えたり、トルクレンチ１０を動かして挿入部１３を単一方向に作動させたり逆方向に空転させたりすることができる。
【００２６】
トルク値を補正するときは、調整スイッチ３０を外してトルクレンチ１０から絶縁管４０を取り出し、補正作業が終了した後、再び元の場所に調整スイッチ３０及び絶縁管４０を取り付けるだけでよいため、非常に便利に補正作業を行うことができる。
【００２７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２８】
１０…トルクレンチ、
１１…ハウジング、
１２…方向転換つまみ、
１３…挿入部、
１４…支持部、
２０…絶縁層、
２１…凹部、
２２…拡張部、
２３…収納溝、
３０…調整スイッチ、
４０…絶縁管、
４１…管壁、
４２…凸部、
４３…内嵌部、
４４…ウィンドウ部、
５０…トルク機構、
５１…ラチェットピン、
５２…目盛板。
【図１】
0003165962.tif 000003
【図２】
0003165962.tif 000004
【図３】
0003165962.tif 000005